(57)【要約】【課題】設備費を大幅に増加させることなく循環ポンプ５への気泡吸込みを抑制すると共に亜硫酸の酸化に必要な循環タンク７内液の滞留時間を確保し、脱硫装置停止時に石膏を循環タンク７内に堆積させることなく、攪拌動力を低減することで、脱硫装置停止時も含めた総合的な運転コストの削減に寄与できる排ガス処理装置とその運転方法を提供すること。【解決手段】循環タンク７の内壁側における循環ポンプ５の吸込み配管１９の接続開口部を覆うように、循環タンク７の内壁側から循環タンク７の中心に向けて斜め下方に伸びる傾斜板２０を設け、かつ、傾斜版２０と循環タンク７の底面に接するように、ほぼ鉛直方向に伸びる側板２１を傾斜板２０を両側端に立設し、さらに、側板２１における循環タンク７の内壁側に開口部２２を設ける。【選択図】  図３
2004181327.tif 000002
【特許請求の範囲】
【請求項１】
ボイラなどの燃焼装置から排出される排ガス中の特定成分を吸収除去するために前記排ガスと吸収液の気液を接触させる気液接触部のある吸収塔と、
該吸収塔の下側に配置した吸収液を貯留する循環タンクと、
該循環タンク内の吸収液を前記吸収塔の気液接触部に送るための循環ポンプと循環タンクの外壁側に少なくとも１つ配置される循環ポンプの吸込み配管と該吸込配管から前記気液接触部へ吸収液を送る循環配管を備えた吸収液循環系とを備えた排ガス処理装置において、
循環タンクの壁面に複数の吸収液攪拌用の攪拌機を設け、
循環タンクの壁面に設けた循環ポンプの吸込み配管の接続開口部を覆うように、循環タンクの内壁側から循環タンク内の中心部に向けて斜め下方に伸び、前面下端部が循環タンク底面に達していない傾斜板を設け、
かつ、該傾斜板と循環タンク底面に両端が接するように、ほぼ鉛直方向に伸びる側板を傾斜板の両側に立設し、
さらに、側板と循環タンクの内壁との間には吸収液が流入し得る開口部を設けたことを特徴とする排ガス処理装置。
【請求項２】
側板の傾斜板との接続端部側には前記開口部が形成されていないことを特徴とする請求項１記載の排ガス処理装置。
【請求項３】
吸収塔は、循環タンクの上側にボイラなどの燃焼装置から排出される排ガスをほぼ水平方向に導入する入口ダクトと排ガスをほぼ水平方向に排出させる出口ダクトと、前記入口ダクトと出口ダクトの間に排ガス流路と、その排ガス流路を入口ダクト側と出口ダクト側の二室に分割するために天井部側に開口部を有する鉛直方向に立てた仕切板をそれぞれ設け、該仕切板で入口ダクトから導入される排ガスが上向きに流れる上昇流領域と天井側の開口部で反転した後に出口ダクトに向けて下向きに排ガスが流れる下降流領域を形成し、噴出する吸収液スラリが排ガスと上昇流領域では向流接触し、下降流領域では並流接触するように前記各領域にスプレノズルを設けた二室式吸収塔であり、
傾斜板と側板を、出口ダクトがある吸収塔側面の下方の循環タンクの側面に配置したことを特徴とする請求項１記載の排ガス処理装置。
【請求項４】
吸収塔は、循環タンクの上側にボイラなどの燃焼装置から排出される排ガスをほぼ水平方向に導入する入口ダクトと排ガスをほぼ水平方向に排出させる出口ダクトと、前記入口ダクトと出口ダクトの間に排ガス流路と、その排ガス流路を入口ダクト側と出口ダクト側の二室に分割するために天井部側に開口部を有する鉛直方向に立てた仕切板をそれぞれ設け、該仕切板で入口ダクトから導入される排ガスが上向きに流れる上昇流領域と天井側の開口部で反転した後に出口ダクトに向けて下向きに排ガスが流れる下降流領域を形成し、噴出する吸収液スラリが排ガスと上昇流領域では向流接触し、下降流領域では並流接触するように前記各領域にスプレノズルを設けた二室式吸収塔であり、
傾斜板と側板を、入口ダクトがある吸収塔側面の下方の循環タンクの側面に配置したことを特徴とする請求項１記載の排ガス処理装置。
【請求項５】
循環ポンプの運転停止時に循環ポンプの吸込み配管が配置された循環タンク壁面に対向する循環タンク壁面に配置されている攪拌機を少なくとも１台以上運転することを特徴とする請求項１記載の排ガス処理装置の運転方法。
【発明の詳細な説明】
【０００１】
【発明の属する技術分野】
本発明は、排ガス中の有害成分を除去する排ガス処理装置に係わり、特に、循環タンクの内部構造を適正化することにより、循環ポンプへの気泡混入の低減、長い液滞留時間の確保、ならびに循環ポンプ停止時における石膏堆積防止を可能とする機能を備えた排ガス処理装置とその運転方法に関するものである。
【０００２】
【従来の技術】
従来技術の排ガス処理装置の公知例として、図７に燃焼排ガス中の硫黄酸化物（ＳＯ２）を除去する湿式排煙脱硫装置を示す。
この湿式排煙脱硫装置は、主に吸収塔本体１、入口ダクト２、出口ダクト３、吸収液循環ポンプ５、循環タンク７、攪拌機８、空気吹き込み管９、ミストエリミネータ１０、吸収液抜き出し管１１、循環配管１４、スプレヘッダー１５、スプレノズル１６、吸込み配管１９等から構成される。攪拌機８、空気吹込み管９および吸込み配管１９は吸収液６が滞留する循環タンク７に設置される。
【０００３】
図示していないボイラから排出される排ガスは、図示していない脱硫ファンにより入口ダクト２から吸収塔本体１内にほぼ水平方向に導入され、塔頂部に設けられた出口ダクト３から排出される。この間、吸収液循環ポンプ５から送られる炭酸カルシウムを含んだ吸収液６がスプレノズル１６から噴射され、吸収液６と排ガスの気液接触により吸収液６は排ガス中のＳＯ２を選択的に吸収する。ＳＯ２を吸収した吸収液は一旦循環タンク７内に溜まり、酸化用攪拌機８によって攪拌されながら、空気吹込み管９から供給される空気中の酸素により酸化されて硫酸カルシウム（石膏）を生成する。
【０００４】
炭酸カルシウムおよび石膏が共存する循環タンク７内の吸収液６の一部は、吸収液循環ポンプ５によって再びスプレノズル１６に送られ、一部は吸収液抜き出し管１１より図示していない廃液処理・石膏回収系へと送られる。また、スプレノズル１６からの噴射によって微粒化された吸収液６の中で、液滴径の小さいものは排ガスに同伴されるが、出口ダクト３に設けられたミストエリミネータ１０によって補集される。
【０００５】
最近の湿式排煙脱硫装置では、吸収塔本体１の塔高を低減することを目的として、攪拌機８および空気吹込み管９を循環タンク７の従来よりも低位置の側壁面に設置して循環タンク７の液深を下げているが、攪拌機８および空気吹込み管９は循環ポンプ５の吸込み配管１９とほぼ同じ高さとなるため、空気吹込み管９から吹込まれた空気の気泡１８が吸込み配管１９を経由して吸収液循環ポンプ５に吸込まれやすい条件になっている。
【０００６】
また、近年における燃料の多様化、環境規制の激化、省エネルギー化などに伴い、脱硫装置に対して厳しい運転条件が要求されるようになり、下記原因によって、さらに気泡１８が吸い込まれやすい条件となりつつある。
【０００７】
（１）排ガス中の硫黄酸化物（ＳＯ２）濃度が近年高くなり、循環タンク７から循環配管１４を通り、スプレノズル１６に供給される吸収液循環量が増加し、これに伴い循環タンク７内での吸収液の下降速度が上昇する。そのため、循環タンク７内に供給する酸化用の空気量が増加するため、気泡量も増加する。
【０００８】
（２）脱硫装置からの排水量を低減する要求に対応した構成になっているので、吸収液中の塩濃度が増加して気泡の微細化を促している。
（３）循環タンク７内の高塩濃度の吸収液の液面へスプレノズル１６からの噴霧吸収液滴が突入するときに、排ガスを巻込むことにより泡沫層が形成されやすくなる。
【０００９】
循環ポンプ５に気泡１８が混入するとキャビテーションによって循環ポンプ５の寿命が短縮するだけでなく、吸収液循環量が少なくなるため、脱硫性能が大きく低下し、脱硫性能の維持のために循環ポンプ５の動力が大きくなる。従って、前記（１）〜（３）の条件下においても吸収液循環ポンプ５への気泡１８の吸込みを防止できる手段を講じる必要がある。
【００１０】
これらの点に関しては、例えば特公平５−２６５２５号公報記載の発明のように、循環タンク６の底部にバッフル２３（図７参照）を立設して液溜部２４を形成し、この液溜部２４に吸込み配管１９を設ける技術が提案されている。
【００１１】
上記特公平５−２６５２５号公報記載の発明では液溜部２４の下降流速を気泡１８の平均上昇速度を下回るように設定することで、空気吹込み管９から吹込まれた酸化空気の気泡１８のうち、平均的な大きさの気泡１８がポンプ５へ吸込まれるのを防止できるが、微細化された気泡１８については上記（２）の原因によって循環ポンプ５への吸込み防止を図ることは難しい。また、上記（３）の泡沫層が形成されることに関しても、その気泡１８の大きさが小さいことと、液溜部２４の上方から吸収液６を吸込もうとする構造上の問題から微細な気泡１８の吸込みを防止することは困難である。
【００１２】
循環タンク７内の液溜部２４の上方から吸収液６を吸い込もうとする構造上の問題は、さらに吸収液６の液面上に落下する亜硫酸濃度の高い吸収液６を直接吸込もうとするショートパス流れを誘引することになる。亜硫酸の酸化に必要な充分な時間が確保できなくなると、亜硫酸を完全に酸化できず、吸収液循環ポンプ５から吐出される吸収液６中に亜硫酸が残存することになり、脱硫性能を低下或いは循環ポンプ５の動力を増加させるばかりでなく、スプレノズル１６や塔壁などへのスケーリングの発生、吸収液抜出し管１１から排出される吸収液６を脱水する図示していない脱水機での脱水性能の低下などの問題を生じることになる。
【００１３】
これらの問題を解決する方法として、例えば特開平９−１０５４６号公報記載の発明では、循環タンク壁面に設けた吸収液の吸込み配管の開口部の上側を覆うような傾斜板を循環タンク内の吸収液中に設置している。この発明の傾斜板前面側の下端部と傾斜板裏面との間は開口しているが、それ以外の傾斜板の側面と傾斜板で囲まれる空間は閉空間を構成しているので、吸込み配管に設けた吸収液吸込み用の循環ポンプの運転が停止される脱硫装置の運転停止時には傾斜板下部の流れが停滞し、吸収液中の副生品である石膏粒子が循環タンク内に沈降・堆積することになる。最も流れが停滞しやすい吸込み配管近傍に石膏が堆積すると、脱硫装置の再起動時に循環ポンプを運転しようとしても吸込み配管１９から吸収液６を吸引できなくなり、大きな問題となる。従って、前記（１）〜（３）の条件下においても吸収液循環ポンプ５への気泡１８の吸込みを防止できる手段を講じる必要がある。
【００１４】
図７に示したようなバッフル内攪拌機１７を図７における液溜部２４または特開平９−１０５４６号公報における傾斜板の下部に設け、脱硫装置の運転停止時に、バッフル内攪拌機１７を運転することで石膏の堆積を防止することができるが、その分設備費が高価になると共に、脱硫装置停止時の運転動力が大きくなる。
【００１５】
また、本出願人は、脱硫装置の運転停止時には必要最小限度のバッフル内攪拌機１７を運転することで経済的に運転ができる気泡の吸収液吸込み管内に流入防止効果のある発明（特開２００１−１２０９４６号公報記載の発明）および吸込み管の近傍の循環タンク内に配置するバッフル内に流入する吸収液の流速を液中での気泡の上昇速度以下とすることで、循環ポンプへの気泡の流入を抑制することができる発明（特開２０００−２８８３３７号公報記載の発明）を特許出願している。
【００１６】
【特許文献１】
特公平５−２６５２５号公報
【００１７】
【特許文献２】
特開平９−１０５４６号公報
【００１８】
【特許文献３】
特開２００１−１２０９４６号公報
【００１９】
【特許文献４】
特開２０００−２８８３３７号公報
【００２０】
【発明が解決しようとする課題】
上記従来技術は、吸収液循環ポンプへの気泡吸込み、亜硫酸の酸化に必要なタンク内液滞留時間、脱硫装置停止時の石膏堆積に関して、まだ改良の余地があり、キャビテーションによる吸収液循環ポンプの寿命の短縮、吸収液循環量の減少による脱硫性能低下の問題を完全に解決したとは言い難い。
【００２１】
本発明の課題は、設備費を大幅に増加させることなく循環ポンプへの気泡吸込みを抑制すると共に、亜硫酸の酸化に必要な循環タンク内液の滞留時間を確保し、脱硫装置停止時に石膏を循環タンク内に堆積させることなく、攪拌動力を低減することで、脱硫装置停止時も含めた総合的な運転コストの削減に寄与できる排ガス処理装置を提供することにある。
【００２２】
【課題を解決するための手段】
本発明の上記課題は、次の構成により解決される。
すなわち、請求項１記載の発明は、ボイラなどの燃焼装置から排出される排ガス中の特定成分を吸収除去するために前記排ガスと吸収液の気液を接触させる気液接触部のある吸収塔と、該吸収塔の下側に配置した吸収液を貯留する循環タンクと、該循環タンク内の吸収液を前記吸収塔の気液接触部に送るための循環ポンプと循環タンクの外壁側に少なくとも１つ配置される循環ポンプの吸込み配管と該吸込配管から前記気液接触部へ吸収液を送る循環配管を備えた吸収液循環系とを備えた排ガス処理装置において、循環タンクの壁面に複数の吸収液攪拌用の攪拌機を設け、循環タンクの壁面に設けた循環ポンプの吸込み配管の接続開口部を覆うように、循環タンクの内壁側から循環タンク内の中心部に向けて斜め下方に伸び、前面下端部が循環タンク底面に達していない傾斜板を設け、かつ、該傾斜板と循環タンク底面に両端が接するように、ほぼ鉛直方向に伸びる側板を傾斜板の両側に立設し、さらに、側板と循環タンクの内壁との間には吸収液が流入し得る開口部を設けた排ガス処理装置である。
【００２３】
前記側板の傾斜板との接続端部側には前記開口部が形成されていない構成とすることができる。
【００２４】
また、吸収塔は、循環タンクの上側にボイラなどの燃焼装置から排出される排ガスをほぼ水平方向に導入する入口ダクトと排ガスをほぼ水平方向に排出させる出口ダクトと、前記入口ダクトと出口ダクトの間に排ガス流路と、その排ガス流路を入口ダクト側と出口ダクト側の二室に分割するために天井部側に開口部を有する鉛直方向に立てた仕切板をそれぞれ設け、該仕切板で入口ダクトから導入される排ガスが上向きに流れる上昇流領域と天井側の開口部で反転した後に出口ダクトに向けて下向きに排ガスが流れる下降流領域を形成し、噴出する吸収液スラリが排ガスと上昇流領域では向流接触し、下降流領域では並流接触するように前記各領域にスプレノズルを設けた二室式吸収塔であり、傾斜板と側板を、出口ダクトがある吸収塔側面の下方の循環タンクの側面に配置した構成にしても良い。
【００２５】
また、吸収塔は、前記二室式吸収塔であり、傾斜板と側板を、入口ダクトがある吸収塔側面の下方の循環タンクの側面に配置した構成にしても良い。
【００２６】
請求項５記載の発明は、循環ポンプの運転停止時に循環ポンプの吸込み配管が配置された循環タンク壁面に対向する循環タンク壁面に配置されている攪拌機を少なくとも１台以上運転する請求項１記載の排ガス処理装置の運転方法である。
【００２７】
【作用】
特公平５−２６５２５号公報記載の発明のような従来技術（図７参照）における吸収液循環ポンプ５への気泡吸込みの原因は、基本的に循環タンク７の上方から吸収液を吸い込もうとしている点にある。これに対し、本発明では、傾斜板を設置することによって吸収液の吸込み配管への吸収液の流れが実質的に循環タンクの底部側にでき、しかも循環タンクの底部近傍から水平方向に吸収液が吸込み配管へ吸込まれる。このため、循環ポンプの吸込み配管近傍での下降流速がほぼゼロとなり、微細な気泡を吸込む割合が極端に少なくなり、液面の泡沫層を直接吸引するようなこともない。
【００２８】
また、特公平５−２６５２５号公報記載の発明などの従来技術における亜硫酸の酸化に必要な循環タンク内での吸収液の滞留時間を短縮することになるショートカット流れが生じる原因も同じく循環タンク上方から吸収液を吸込み配管へ吸い込もうとしていることによる。この点に関しても、本発明では、傾斜板の設置によって吸収液の吸込み配管への吸収液の流れが実質的に循環タンクの底部側にでき、循環タンク底部近傍から水平方向に吸込み配管へ向けた吸収液の流れが生じる。そのため、循環タンク内の吸収液の液面から流入する亜硫酸を多く含んだ噴霧吸収液は、傾斜板を避けるように流れ、一旦循環タンク底部まで下降した後、ほぼ水平方向に流れながら傾斜板の裏面側に流れこみ、吸込み配管を経由して吸収液循環ポンプに吸い込まれることになる。従って、ショートカット流れは生じなく、亜硫酸の酸化に必要な充分な液滞留時間を確保できる。
【００２９】
また、循環タンクが円筒形の場合、一般に滞留吸収液の攪拌効率を向上させるため、循環タンク壁面への攪拌機の回転軸の挿入角度をタンク半径方向より偏心させ、ある一定の方向に循環タンク内で旋回流れを形成させるように多数の攪拌機を同じ傾斜角度で配置することが多い。旋回流れが存在する場合、傾斜板だけでは気泡の浸入を防止することは難しく、旋回流れに同伴される気泡がタンクの円周方向から吸込み配管に浸入しやすくなる。
【００３０】
これに対して、本発明では、傾斜板の側端部に旋回流を遮るような配置し、かつ側板を傾斜板とタンク底面に接するように立設しているため、旋回流に同伴される気泡の周方向からの浸入を防止することが可能である。
【００３１】
また、特開平９−１０５４６号公報記載の発明における脱硫装置運転停止時に、バッフル内攪拌機１７を運転しないと石膏が堆積してまう原因は、傾斜板の前面の下端部とタンク底面の間に開口部があるだけで、実質的に傾斜板の裏面側と循環タンク内壁面とで囲まれた空間は閉空間を形成しており、傾斜板の裏面側の吸収液の流れが停滞しやすい点にある。
【００３２】
これに対して本発明では、まず、上記側板の循環タンク内壁側に開口部を設け、傾斜板の裏面の空間は、傾斜板前面と両側面の三箇所に循環タンク中央部に向いた開口部がある。更に、循環ポンプ停止時に循環ポンプの吸込み配管に相対する側に配置されている攪拌機を運転することにより、攪拌機によって押出された液が傾斜板裏面側の空間に流入し、傾斜板両側の側板開口部から抜けるようにしている。したがって、傾斜板裏面側の空間での吸収液の流れが促進され、吸収液中の石膏が沈降・堆積するようなことはない。
【００３３】
【発明の実施の形態】
以下、本発明の実施の形態について図面を用いて説明する。
図１は本発明の一実施例の排ガス中の硫黄酸化物をカルシウム系脱硫剤で処理する湿式排煙脱硫装置における吸収塔の側面を示したものである。図２は図１における循環タンク部の平面を示したものである。図３は脱硫装置の運転停止時の循環タンク内の吸収液の液流れを示したものである。
【００３４】
図１および図２に示す実施例は、循環タンク７の内壁側における循環ポンプ５の吸込み配管１９の接続開口部を覆うように、循環タンク７の内壁側から循環タンク７の中心部に向けて斜め下方に伸びる傾斜板２０を設け、傾斜板２０と循環タンク７の底面に接するように、ほぼ鉛直方向に伸びる側板２１を傾斜板２０の両側端に立設し、さらに、側板２１の循環タンク７の内壁側は、循環タンク７底面から傾斜板２０に達する開口部２２を設けている点で従来技術と異なる。
【００３５】
傾斜板２０の設置によって液面から流入する亜硫酸を多く含んだ吸収液６は、傾斜板２０を避けるように流れ、一旦循環タンク７の底部まで下降した後、開口部２２からほぼ水平方向に傾斜板２０の下部（傾斜板裏面側）に流入し、循環タンク７の壁面から吸込み配管１９を経由して吸収液循環ポンプ５に吸い込まれることになる。従って、循環タンク７内での液滞留時間の短縮の原因となるショートカット流れは生じなく、亜硫酸の酸化に必要な充分な液滞留時間を確保できる。
【００３６】
傾斜板２０の設置によって循環タンク７内の底部付近から水平方向に吸収液６を流して吸込み配管１９から吸収液を循環配管１４に吸い込むようにしているため、吸込み配管１９近傍での下降流速がほぼゼロとなり、微細な気泡１８を吸込む割合が極端に少なくなり、循環タンク７内の吸収液の液面の泡沫層を直接吸込み配管１９に吸引するようなこともない。
【００３７】
また、本実施例は循環タンク７が円筒形であり、攪拌効率を向上させるため、循環タンク７の側壁面に配置される攪拌機８の回転軸の側壁への挿入角度を循環タンク７の円筒の半径方向から偏心させ、水平方向での旋回流れを形成させようとしている。旋回流れが存在する場合に傾斜板２０だけでは気泡１８の浸入を防止することは難しく、旋回流れに同伴される気泡１８が周方向から吸込み配管１９に浸入しやすくなるが、本実施例では傾斜板２０の側端部に対して旋回流を遮るような側板２１を傾斜板２０と循環タンク７底面に接するように立設しているため、旋回流に同伴される気泡１８の周方向からの浸入を防止することが可能である。
【００３８】
また、本実施例では、側板２１の循環タンク７の内壁側に開口部２２を設け、傾斜板２０の下側の空間に対して傾斜板２０の前面下端部にある循環タンク底面との間の吸収液通過可能な開口部２５を含めて三箇所の開口部２２、２２、２５を持たせている（図３）。循環ポンプ５の運転停止時に循環ポンプ５の吸込み配管１９に相対する側の壁面に配置されている攪拌機８を運転することにより、攪拌機８によって押出された吸収液６が傾斜板２０の下側の空間に開口部２５から流入し、両側の側板開口部２２から抜け出るようにしている。したがって、傾斜板２０の下側空間での流れが促進され、吸収液６中の石膏が前記空間内で沈降・堆積するようなことはない。
【００３９】
図４は循環タンク７の側壁への開口部２２の設け方を変えた他の実施例である。図４に示す実施例は、側板開口部２２の上端側を傾斜板２０まで到達させず、傾斜板２０側の側板２１の接続部を一部残した点で図１に示した実施例と異なる。傾斜板２０近傍での吸収液流れからの圧力は、傾斜板２０の下側に比べて上側が高くなり、常時傾斜板２０に対しては上から下に向けて力がかかることになるが、側板開口部２２の上側に側板２１の一部を残しているため、図１に示した実施例に比べて構造上有利であり、圧力変動による振動に対しても強い。また、側板開口部２２からも傾斜板２０の下側の空間に若干吸収液６を吸い込むことになるが、側板開口部２２の上端を傾斜板２０にまで到達させると、循環タンク７の上部からも吸収液６を吸い込むことになるため、条件によっては泡沫層を吸込む可能性、又は亜硫酸濃度の高い吸収液を吸い込む可能性がある。しかし、本実施例のように側板開口部２２の高さを主に吸収液６を吸込む傾斜板２０の前面の開口部２５の高さとほぼ同等にしておけば、上述のような心配はない。
【００４０】
図５は湿式排煙脱硫装置における二室型吸収塔に本発明を適用した実施例である。図５に示す実施例の吸収塔は二室型吸収塔であるが、二室型吸収塔は循環タンク７の上側に排ガスをほぼ水平方向に導入する入口ダクト２と排ガスをほぼ水平方向に排出させる出口ダクト３が設けられ、前記入口ダクト２と出口ダクト３の間に設けた排ガス流路を入口ダクト２側と出口ダクト３側の二室に分割するために天井部側に開口部を有する鉛直方向に立てた仕切板４を設けられている。
【００４１】
図５に示す二室型吸収塔では、塔内の排ガス流路が仕切板４で入口ダクト２から導入される排ガスが上向きに流れる上昇流領域１２と天井側の開口部で反転した後に出口ダクト３に向けて下向きに排ガスが流れる下降流領域１３に仕切られることに特徴があり、上昇流領域１２ではスプレヘッダ１５に設けたスプレノズル１６から噴出する吸収液スラリが排ガスと向流接触し、下降流領域１３では並流接触するため、比較的小さな空間内で排ガスの脱硫処理が可能となる。
【００４２】
二室型吸収塔の場合、循環タンク７内の吸収液の液面近傍での排ガスの漏れを防ぐため、液面より数ｍ下まで仕切板４が液中に浸漬した状態に挿入されているが、この仕切板４によって循環タンク７内の吸収液の液面近傍での吸収液６の混合が阻害され、下降流領域１３から循環タンク７内に落下した吸収液６は、上昇流領域１２から落下してきた吸収液６と混ざることなく、そのまま吸込み配管１９に吸込まれるようになる。その結果、下降流領域１３から落下する吸収液６は循環タンク７内の滞留時間が短くなり、酸化反応に必要な充分な時間が確保できなくなり、吸収液６中に亜硫酸が残存したままスプレノズル１６に送られ、脱硫性能の低下を招く原因となる。しかし、本実施例では、下降流領域１３を落下してきた吸収液６は、傾斜板２０によって一旦上昇流領域１２側に曲げられるため、上昇流領域１２を落下してきた吸収液６と混合するようになり、さらに循環タンク７内における滞留時間も長くなる。
【００４３】
図６は循環ポンプ５を入口ダクト２側に配置した場合の二室型吸収塔に適用した他の実施例である。図６に示す実施例は、循環ポンプ５、吸込み配管１９、傾斜板２０および側板２１を入口ダクト２側、即ち上昇流領域１２の下部に設けた点で図５に示した実施例と異なる。循環タンク７の吸収液中に落下する吸収液６中の亜硫酸濃度は、下降流領域１３に比べて上昇流領域１２の方が高い。したがって、上昇流領域１２から落下した吸収液６が下降流領域１３の吸収液６と混ざることなく吸込み配管１９に吸い込まれると、亜硫酸の酸化反応時間不足による吸収液６中への亜硫酸の残存量が図５に示す実施例よりも多くなり、更に大幅な脱硫性能の低下をもたらす原因となりかねない。
【００４４】
しかし、図６に示す本実施例では、図５の実施例における作用と同様に、上昇流領域１２を落下してきた吸収液６は、傾斜板２０によって一旦下降流領域１３側に曲げられるため、下降流領域１３を落下してきた吸収液６と混合するようになり、更に循環タンク７内における滞留時間も長くなる。そのため、循環ポンプ５からスプレノズル１６に送られる吸収液６中に亜硫酸が残存するようなことはない。
【００４５】
【発明の効果】
本発明によれば、シンプルな循環タンク構造で循環ポンプへの気泡吸込みを抑制し、亜硫酸の酸化に必要な循環タンク内液滞留時間を確保し、脱硫装置停止時に石膏を堆積させることなく攪拌動力を低減できるため、吸収液循環量減少による脱硫性能の低下がなく、性能維持のための循環ポンプ動力増加の必要もなく、設備費の大幅な低減だけでなく、脱硫装置停止時も含めた総合的な運転コストの削減にも寄与できる。
【図面の簡単な説明】
【図１】本発明の実施の形態の湿式排煙脱硫装置における吸収塔と循環タンクの側面図である。
【図２】図１の循環タンク部の平面図である。
【図３】図１の脱硫装置停止時の循環タンク内吸収液の液流れを示す図である。
【図４】本発明の実施の形態の循環タンクの側板への開口部の設け方を変えた例である。
【図５】本発明の実施の形態の湿式排煙脱硫装置における二室型吸収塔に適用した例である。
【図６】本発明の実施の形態の湿式排煙脱硫装置における二室型吸収塔に適用した例である。
【図７】従来技術の湿式排煙脱硫装置における吸収塔の側面図である。
【符号の説明】
１  吸収塔本体                ２  入口ダクト
３  出口ダクト                ４  仕切板
５  吸収液循環ポンプ          ６  吸収液
７  循環タンク                ８  攪拌機
９  空気吹込み管              １０  ミストエリミネータ
１１  吸収液抜き出し管        １２  上昇流領域
１３  下降流領域              １４  循環配管
１５  スプレヘッダー          １６  スプレノズル
１７  バッフル内攪拌機        １８  気泡
１９  吸込み配管              ２０  傾斜板
２１  側板                    ２２  側板開口部
２３  バッフル                ２４  液溜部
２５  開口部
【図１】
2004181327.tif 000003
【図２】
2004181327.tif 000004
【図３】
2004181327.tif 000005
【図４】
2004181327.tif 000006
【図５】
2004181327.tif 000007
【図６】
2004181327.tif 000008
【図７】
2004181327.tif 000009